(57)【要約】      （修正有）【課題】冷凍サイクルの冷却効率を向上させることができる冷蔵庫を提供。【解決手段】圧縮機と、凝縮器と、冷蔵室を冷却する冷蔵用冷却器と、冷凍室を冷却する冷凍用冷却器と、冷蔵用冷却器及び冷凍用冷却器に冷媒を切り換えて流す切替弁と、切替弁の動作を制御する制御部とを備え、特定条件が満たされると、制御部が冷蔵用冷却器側へ冷媒を流す冷蔵モードと冷凍用冷却器側へ冷媒を流す冷凍モードとを切り換えて行う冷蔵庫において、圧縮機が停止すると冷蔵モード及び冷凍モードの実行時間が長くなるように前記特定条件を変更する。【選択図】図７
2011080695.tif 000002
【特許請求の範囲】
【請求項１】
圧縮機と、凝縮器と、冷蔵室を冷却する冷蔵用冷却器と、冷凍室を冷却する冷凍用冷却器と、前記冷蔵用冷却器及び前記冷凍用冷却器に冷媒を切り換えて流す切替弁と、前記切替弁の動作を制御する制御部とを備え、
特定条件が満たされると、前記制御部が前記切替弁を動作させて前記冷蔵用冷却器側へ冷媒を流す冷蔵モードと前記冷凍用冷却器側へ冷媒を流す冷凍モードとを切り換えて行う冷蔵庫において、
前記圧縮機が停止すると前記冷蔵モード及び前記冷凍モードの実行時間が長くなるように前記特定条件を変更する延長制御を実行することを特徴とする冷蔵庫。
【請求項２】
前記圧縮機の停止直前の回転数が最低回転数である場合にのみ前記冷蔵モード及び前記冷凍モードの実行時間が長くなるように前記特定条件を変更することを特徴とする請求項１に記載の冷蔵庫。
【請求項３】
前記冷蔵室の庫内温度を検出する冷蔵室温度センサと、前記冷凍室の庫内温度を検出する冷凍室温度センサとを備え、
前記特定条件は、前記冷蔵室の庫内温度が所定の冷蔵室上限温度に達したときに冷凍モードから冷蔵モードに切り換え、前記冷蔵室の庫内温度が所定の冷蔵室下限温度に達したときに冷蔵モードから冷凍モードに切り換え、前記冷凍室の庫内温度が所定の冷凍室上限温度に達したときに冷蔵モードから冷凍モードに切り換え、前記冷凍室の庫内温度が所定の冷凍室下限温度に達したときに冷凍モードから冷蔵モードに切り換えることであり、
前記延長制御の実行中は、前記冷蔵室上限温度と前記冷蔵室下限温度との温度差が大きくなるように前記冷蔵室上限温度及び前記冷蔵室下限温度の少なくともいずれか一方を変更し、かつ、前記冷凍室上限温度と前記冷凍室下限温度との温度差が大きくなるように前記冷凍室上限温度及び前記冷凍室下限温度の少なくともいずれか一方を変更することを特徴とする請求項１又は２に記載の冷蔵庫。
【請求項４】
前記圧縮機の回転数が所定回転数以上になると前記延長制御を終了し、前記特定条件を通常運転時の特定条件に変更することを特徴とする請求項１〜３のいずれか１項に記載の冷蔵庫。
【請求項５】
前記冷凍用冷却器の除霜を開始すると前記延長制御を終了し、前記特定条件を通常運転時の特定条件に変更することを特徴とする請求項１〜４のいずれか１項に記載の冷蔵庫。
【請求項６】
前記冷蔵室の庫内温度を検出する冷蔵室温度センサと、前記冷凍室の庫内温度を検出する冷凍室温度センサとを備え、
前記冷蔵室温度センサ及び前記冷凍室温度センサの検出温度の少なくともいずれか一方が所定の温度以上に達すると前記延長制御を終了し、前記特定条件を通常運転時の特定条件に変更することを特徴とする請求項１〜５のいずれか１項に記載の冷蔵庫。
【発明の詳細な説明】
【技術分野】
【０００１】
本発明は、冷蔵室を冷却する冷蔵用冷却器と冷凍室を冷却する冷凍用冷却器とを備えた冷蔵庫に関する。
【背景技術】
【０００２】
従来より、冷蔵室を冷却する冷蔵用冷却器と冷凍室を冷却する冷凍用冷却器とを設け、切替弁のより圧縮機から吐出された冷媒の流路を切り替えることで、冷蔵用冷却器に冷媒を供給し冷蔵室を冷却する冷蔵モードと、冷凍用冷却器に冷媒を供給し冷凍室を冷却する冷凍モードとを切り換えて行うとともに、圧縮機の周波数を可変して各貯蔵室の温度帯に適した蒸発温度に制御する冷蔵庫が提案されている（例えば、下記特許文献１、２参照）。
【先行技術文献】
【特許文献】
【０００３】
【特許文献１】特開２００２−７１２３３号公報
【特許文献２】特開平１１−３０４３２９号公報
【発明の概要】
【発明が解決しようとする課題】
【０００４】
上記のような冷蔵庫では、好適な温度にそれぞれの冷却器を冷却して冷蔵室及び冷凍室を冷却することができるため高い冷凍サイクル効率が得られるが、冷蔵庫に対する省電力化の要請が非常に強いことから更なる冷凍サイクルの冷却効率の向上が求められている。
【０００５】
そこで、本発明は、更なる冷凍サイクルの冷却効率を向上させることができる冷蔵庫を提供することを目的とする。
【課題を解決するための手段】
【０００６】
本発明に係る冷蔵庫は、圧縮機と、凝縮器と、冷蔵室を冷却する冷蔵用冷却器と、冷凍室を冷却する冷凍用冷却器と、前記冷蔵用冷却器及び前記冷凍用冷却器に冷媒を切り換えて流す切替弁と、前記切替弁の動作を制御する制御部とを備え、特定条件が満たされると、前記制御部が前記切替弁を動作させて前記冷蔵用冷却器側へ冷媒を流す冷蔵モードと前記冷凍用冷却器側へ冷媒を流す冷凍モードとを切り換えて行う冷蔵庫において、前記圧縮機が停止すると前記冷蔵モード及び前記冷凍モードの実行時間が長くなるように前記特定条件を変更する延長制御を実行することを特徴とする。
【発明の効果】
【０００７】
本発明の冷蔵庫では、上記構成により、冷凍モード及び冷凍モードの切り換えのタイミングを好適化することで、冷凍モード及び冷凍モードの切り換えに伴って生じる消費電力の無駄を削減することができ、更なる冷凍サイクルの冷却効率を向上させることができる。
【図面の簡単な説明】
【０００８】
【図１】本発明の第１実施形態に係る冷蔵庫の断面図である。
【図２】図１に示す冷蔵庫の冷凍サイクルを示す図である。
【図３】図１に示す冷蔵庫の電気構成を示すブロック図である。
【図４】制御部が行う制御を示すフローチャートである。
【図５】制御部が行う制御を示すフローチャートである。
【図６】制御部が行う制御を示すフローチャートである。
【図７】制御部が行う制御を示すタイムチャートである。
【発明を実施するための形態】
【０００９】
以下、本発明の一実施形態について、図面を参照して説明する。
【００１０】
本実施形態に係る冷蔵庫１０は、図１に示すように、外郭を形成する外箱と貯蔵空間を形成する内箱との間に発泡断熱材を充填した断熱箱体からなる冷蔵庫本体１１を備え、貯蔵空間を断熱仕切壁１２によって上方の冷蔵空間２０と下方の冷凍空間４０とに区画している。
【００１１】
冷蔵空間２０は、さらに仕切壁２１によって上下に区画され、上部空間に複数段の載置棚を設けた冷蔵室２２が設けられ、下部空間に引き出し式の収納容器２５ａを配置する野菜室２４が設けられている。
【００１２】
野菜室２４の下方に配置した冷凍空間４０には、比較的小容積の自動製氷機を備えた製氷室２６と小型冷凍室（不図示）を左右に併設しており、その下方には冷凍室２８が設けられている。
【００１３】
冷蔵室２２の開口部は、冷蔵庫本体１１の一側部の上下に設けられたヒンジにより回動自在に枢支された冷蔵室扉２３により閉塞されている。この冷蔵室扉２３は扉センサ３１によって該扉２３の開閉が検知される。
【００１４】
野菜室２４、製氷室２６、小型冷凍室及び冷凍室２８の開口部は、引き出し式扉２５，２７，２９により閉塞されている。各引き出し式扉２５，２７，２９の裏面側に固着した左右一対の支持枠に収納容器２５ａ，２７ａ，２９ａが保持されており、開扉動作とともに庫外に引き出されるように構成されている。
【００１５】
冷蔵空間２０及び冷凍空間４０のそれぞれの背面には、冷蔵用冷却器５２及び冷凍用冷却器５３と送風ファン５４、５５がそれぞれ配設されている。冷蔵用冷却器５２で生成された冷気は、送風ファン５４の回転駆動によってダクト３２を介して冷蔵室２２及び野菜室２４に導入されることで、冷蔵空間２０を所定温度に冷却し、冷凍用冷却器５３で生成された冷気は、送風ファン５５の回転駆動によって吹出口４２より製氷室２６、小型冷凍室及び冷凍室２８に導入されることで、冷凍空間４０を所定温度に冷却する。そして、冷蔵空間２０及び冷凍空間４０を冷却し終えた冷気は、再び冷却器５２，５３に戻され冷却される。
【００１６】
冷蔵室２２の背面には、冷蔵室２２の庫内温度ＴＲを測定するための冷蔵室温度センサ３４が設けられ、冷凍室２８の背面には、冷凍室２８の庫内温度ＴＦを測定するための冷凍室温度センサ３６が設けられている。また、冷凍用冷却器５３の上方には、冷凍用冷却器５３の温度を検知し、除霜の終了タイミングを検知するための除霜センサ５１が設けられ、冷凍用冷却器５３には、例えば、パイプヒータよりなる除霜ヒータ４３が設けられている（図２参照）。
【００１７】
冷蔵用冷却器５２及び冷凍用冷却器５３は、インバータによる周波数変換などで能力可変式の圧縮機５６から吐出される冷媒を、冷凍サイクル５０により交互に導いて冷却される。
【００１８】
すなわち、冷凍サイクル５０は、図２に示すように、圧縮機５６の吐出側にマフラ４４及び蒸発パイプ４５を介して凝縮器５８が接続され、凝縮器５８には放熱パイプ４６、グリーンパイプ４７及びドライヤ４８を介して三方弁６０が接続されている。三方弁６０から二股に分かれた冷媒流路の一方には冷蔵キャピラリチューブ６２及び冷蔵用冷却器５２からなる冷蔵側回路が接続され、他方の冷媒流路には冷凍キャピラリチューブ６４、冷凍用冷却器５３、アキュムレータ４９及び逆止弁４１とからなる冷凍側回路が接続されている。
【００１９】
三方弁６０は、凝縮器５８により放熱液化された冷媒を冷蔵側回路及び冷凍側回路へ切り替えて分流し、また、冷蔵側回路及び冷凍側回路への該冷媒供給を遮断する。冷蔵側回路及び冷凍側回路は、圧縮機５６の吸込側に接続されており、各冷却器５２，５３を流れた冷媒が再び圧縮機５６に取り込まれることで、冷媒は冷凍サイクル５０内を循環する。
【００２０】
冷蔵庫本体１１の背面下部には、冷凍サイクル５０の一部を構成する圧縮機５６及び凝縮器５８を収納する機械室５７が配設されており、機械室５７の背面に制御部６６が設けられている。
【００２１】
制御部６６は、図３に示すように、冷蔵室温度センサ３４、冷凍室温度センサ３６、除霜センサ５１、扉センサ３１などの各種センサから入力される信号や、ＥＥＰＲＯＭなどの不揮発性記録媒体からなるメモリ５９に記憶された制御プログラムに基づいて、除霜ヒータ４３、送風ファン５４、５５、圧縮機５６、三方弁６０などの各種電気部品を制御する。
【００２２】
このような冷蔵庫１０の冷凍サイクル５０では、制御部６６が三方弁６０を制御することで、冷蔵用冷却器５２を有する冷蔵側回路へ冷媒を流す冷蔵モードと、冷凍用冷却器５３を有する冷凍側回路へ冷媒を流す冷凍モードとを切り替えて運転する。
【００２３】
冷蔵室２２及び野菜室２４からなる冷蔵空間２０を冷却する場合には、制御部６６が、三方弁６０を切り替えて冷蔵用冷却器５２に冷媒が流れるようにするとともに、送風ファン５４を運転させる冷蔵モードを実行する。これにより、冷蔵用冷却器５２で冷却された空気は、送風ファン５４によって冷蔵室２２及び野菜室２４に送風され、各室２２，２４内を冷却する。
【００２４】
一方、冷凍室２８等の冷凍空間４０を冷却したい場合には、制御部６６が、三方弁６０を切り替えて冷媒が冷凍用冷却器５３に流れるようにするとともに、送風ファン５５を運転させる冷凍モードを実行する。これにより、冷凍用冷却器５３で冷却された空気は送風ファン５５によって冷凍空間４０内部に送風され、冷凍空間４０内が冷却される。
【００２５】
そして、制御部６６は、特定条件が満たされると三方弁６０を制御することで、冷蔵モードと冷凍モードとを切り換える。
【００２６】
具体的には、図４に示すように、制御部６６が作動すると、まず、ステップＳ１において制御部６６が三方弁６０を駆動させて冷凍モードの実行を開始し、ステップＳ２に進む。
【００２７】
次いで、ステップＳ２において、制御部６６は、冷凍モードを開始した時点からの経過時間が所定時間Ｔ１（本実施形態では例えばＴ１＝３０分）以上であるか否か判断し、所定時間Ｔ１以上であればステップＳ３に進み、所定時間Ｔ１未満であればステップＳ２を繰り返す。
【００２８】
ステップＳ３では、冷蔵室温度センサ３４による冷蔵室２２の庫内温度ＴＲが冷蔵室上限温度ＴＲｏｎより大きいか否か判断する。庫内温度ＴＲが冷蔵室上限温度ＴＲｏｎより大きければ冷蔵モードを実行して冷蔵空間２０内を冷却するためにステップＳ８に進み、庫内温度ＴＲが冷蔵室上限温度ＴＲｏｎ以下であれば、ステップＳ４に進む。
【００２９】
ステップＳ４では、制御部６６は、冷凍モードを開始した時点からの経過時間が所定時間Ｔ２（Ｔ２＞Ｔ１であり、本実施形態では例えば６０分）以上であるか否か判断し、所定時間Ｔ２以上であれば冷凍空間４０が十分に冷却されていると判断し、冷凍モードを終了するためにステップＳ８に進み、所定時間Ｔ２未満であればステップＳ５に進む。
【００３０】
ステップＳ５では、冷凍室温度センサ３６による冷凍室２８の庫内温度ＴＦが冷凍室下限温度ＴＦｏｆｆより小さいか否か判断する。庫内温度ＴＦが冷凍室下限温度ＴＦｏｆｆより小さければ、冷凍空間４０が十分に冷却されているとしてステップＳ６に進み、庫内温度ＴＦが冷凍室下限温度ＴＦｏｆｆ以上であれば、ステップＳ７に進む。
【００３１】
ステップＳ６では、冷蔵室温度センサ３４による冷蔵室２２の庫内温度ＴＲが冷蔵室下限温度ＴＲｏｆｆより小さいか否か判断する。庫内温度ＴＲが冷蔵室下限温度ＴＲｏｆｆより小さければ、冷凍空間４０だけでなく冷蔵空間２０も十分に冷却されており、冷蔵空間２０及び冷凍空間４０のいずれも冷却する必要が無く、圧縮機５６を停止させるためにステップＳ９に進み、庫内温度ＴＲが冷蔵室下限温度ＴＲｏｆｆ以上であれば、冷凍モードを終了するためにステップＳ８に進む。
【００３２】
ステップＳ７では、冷凍室２８の庫内温度ＴＦの上下動に対してＰＩＤ計算を行い、その計算値Ｐ１が所定値Ａ１より小さければステップＳ９に進み、計算値Ｐ１が所定値Ａ１以上であればステップＳ３に戻る。
【００３３】
ステップＳ８において、制御部６６は、冷蔵モードの実行を開始するため、冷凍モードを終了し、その後、ステップＳ２１に進む（図５参照）。
【００３４】
ステップＳ９では、圧縮機５６の周波数をメモリ５９に記憶させた後、ステップＳ１０において圧縮機５６を停止させる。
【００３５】
本実施形態では、（ａ）冷凍モードの開始時から所定時間Ｔ１以上経過しており、かつ、（ｂ）冷蔵室２２の庫内温度ＴＲが冷蔵室上限温度ＴＲｏｎより大きい場合、（ｃ）冷凍モードの開始時から所定時間Ｔ２以上経過している場合、（ｄ）冷凍室２８の庫内温度ＴＦが冷凍室下限温度ＴＦｏｆｆより小さいと共に、冷蔵室２２の庫内温度ＴＲが冷蔵室下限温度ＴＲｏｆｆ以上の場合のうち、（ｂ）〜（ｄ）のいずれか１の条件を満たすと、制御部６６は、三方弁６０を駆動させて冷凍モードを終了させ、ステップＳ２１に進んで冷蔵モードを開始する。従って、本実施形態では、前記（ａ）〜（ｄ）の条件が冷凍モードから冷蔵モードに切り換えるため特定条件となる。
【００３６】
また、冷凍モード実行中において、冷凍室２８の庫内温度ＴＦが冷凍室下限温度ＴＦｏｆｆより小さいと共に（ステップＳ５）、冷蔵室２２の庫内温度ＴＲが冷蔵室下限温度ＴＲｏｆｆより小さい場合（ステップＳ６）、あるいは、冷凍室２８の庫内温度ＴＦが冷凍室下限温度ＴＦｏｆｆ以上であると共に（ステップＳ５）、冷凍室２８の庫内温度ＴＦの上下動に対するＰＩＤ計算値Ｐ１が所定値Ａ１より小さい場合（ステップＳ７）、冷蔵空間２０及び冷凍空間４０のいずれの空間も十分に冷却されているとして、圧縮機５６の周波数をメモリ５９に記憶させた後（ステップＳ９）、圧縮機５６を停止させる（ステップＳ１０）。
【００３７】
ステップＳ２１では、制御部６６が三方弁６０を駆動させて冷蔵モードの実行を開始する。そして、図５に示すように、（ｅ）冷蔵モードの開始時から所定時間Ｔ３（本実施形態では例えばＴ３＝２０分）以上経過しており（ステップＳ２２）、かつ、（ｆ）冷凍室２８の庫内温度ＴＦが冷凍室上限温度ＴＦｏｎより大きい場合（ステップＳ２３）、（ｇ）冷蔵モードの開始時から所定時間Ｔ４（Ｔ４＞Ｔ３であり、本実施形態では例えば４０分）以上経過している場合（ステップＳ２４）、（ｈ）冷蔵室２２の庫内温度ＴＲが冷蔵室下限温度ＴＲｏｆｆより小さいと共に（ステップＳ２５）、冷凍室２８の庫内温度ＴＦが冷凍室下限温度ＴＦｏｆｆ以上の場合（ステップＳ２６）のうち、（ｆ）〜（ｈ）のいずれか１の条件を満たすと、制御部６６は、三方弁６０を駆動させて冷蔵モードを終了させ（ステップＳ２８）、ステップＳ１に進んで冷凍モードを開始する。
【００３８】
従って、本実施形態では、前記（ｅ）〜（ｈ）の条件が冷蔵モードから冷凍モードに切り換えるため特定条件となる。
【００３９】
また、冷蔵モード実行中において、冷蔵室２２の庫内温度ＴＲが冷蔵室下限温度ＴＲｏｆｆより小さいと共に（ステップＳ２５）、冷凍室２８の庫内温度ＴＦが冷凍室下限温度ＴＦｏｆｆより小さい場合（ステップＳ２６）、あるいは、冷蔵室２２の庫内温度ＴＲが冷蔵室下限温度ＴＲｏｆｆ以上であると共に（ステップＳ２５）、冷蔵室２２の庫内温度ＴＲの上下動に対するＰＩＤ計算値Ｐ２が所定値Ａ２より小さい場合（ステップＳ２８）、冷蔵空間２０及び冷凍空間４０のいずれの空間も十分に冷却されているとして、圧縮機５６の周波数をメモリ５９に記憶させた後（ステップＳ２９）、圧縮機５６を停止させる（ステップＳ３０）。
【００４０】
そして、圧縮機５６が停止すると、制御部６６は、図６に示すように、ステップＳ４１において、ステップＳ９又はステップＳ２９においてメモリ５９に記憶されている圧縮機５６の停止直前の周波数が最低周波数（例えば、２２Ｈｚ）であるか否か、つまり、圧縮機５６が最低圧縮能力で運転されていたか否か判断する。圧縮機５６の停止直前の周波数が最低周波数であればステップＳ４２に進み、圧縮機５６の停止直前の周波数が最低周波数で無ければステップＳ４３に進む。
【００４１】
ステップＳ４２において、制御部６６は、メモリ５９に記憶されている延長制御における特定条件を読み込み、冷蔵モード及び冷凍モードの実行時間が長くなるように前記特定条件を変更する延長制御に移行し、その後、ステップＳ４３に進む。
【００４２】
詳細には、図７に示すように、延長制御へ移行すると制御部６６は、圧縮機５６が停止する前の通常制御時に比べて、冷蔵室上限温度ＴＲｏｎと冷蔵室下限温度ＴＲｏｆｆとの温度差ＤＲが大きくなるように冷蔵室上限温度ＴＲｏｎ及び冷蔵室下限温度ＴＲｏｆｆを変更するとともに、冷凍室上限温度ＴＦｏｎと冷凍室下限温度ＴＦｏｆｆとの温度差ＤＦが大きくなるように冷凍室上限温度ＴＦｏｎ及び冷凍室下限温度ＴＦｏｆｆを変更する。
【００４３】
具体例を挙げると、通常制御から延長制御へ移行すると、制御部６６は、冷蔵室上限温度ＴＲｏｎを３℃から４℃に変更し、冷蔵室下限温度ＴＲｏｆｆを１℃から０℃に変更することで温度差ＤＲを２℃から４℃に変更するとともに、冷凍室上限温度ＴＦｏｎを-１９℃から−１８℃に変更し、冷凍室下限温度ＴＦｏｆｆを−２１℃から−２２℃に変更することで温度差ＤＦを２℃から４℃に変更する。
【００４４】
このように延長制御では、通常制御実行時に比べて、冷蔵室上限温度ＴＲｏｎと冷蔵室下限温度ＴＲｏｆｆとの温度差ＤＲ及び冷凍室上限温度ＴＦｏｎと冷凍室下限温度ＴＦｏｆｆとの温度差ＤＦを大きくすることで、冷蔵モードと冷凍モードとの切り換え頻度を減少させる。
【００４５】
ステップＳ４３において、制御部６６は、冷蔵室温度センサ３４による冷蔵室２２の庫内温度ＴＲが冷蔵室上限温度ＴＲｏｎより大きいか否か判断する。庫内温度ＴＲが冷蔵室上限温度ＴＲｏｎより大きければステップＳ２１に進んで冷蔵モードの実行を開始する。その際、前記ステップＳ４２において延長制御に移行していると、冷蔵室上限温度ＴＲｏｎと冷蔵室下限温度ＴＲｏｆｆとの温度差ＤＲ及び冷凍室上限温度ＴＦｏｎと冷凍室下限温度ＴＦｏｆｆとの温度差ＤＦを変更した条件で冷蔵モードを実行する。また、庫内温度ＴＲが冷蔵室上限温度ＴＲｏｎ以下であれば、ステップＳ４４に進む。
【００４６】
ステップＳ４４では、冷凍室温度センサ３６による冷凍室２８の庫内温度ＴＦが冷凍室上限温度ＴＦｏｎより大きいか否か判断する。庫内温度ＴＦが冷凍室上限温度ＴＦｏｎより大きければステップＳ１に進んで冷凍モードの実行を開始する。その際、前記ステップＳ４２において延長制御に移行していると、冷蔵室上限温度ＴＲｏｎと冷蔵室下限温度ＴＲｏｆｆとの温度差ＤＲ及び冷凍室上限温度ＴＦｏｎと冷凍室下限温度ＴＦｏｆｆとの温度差ＤＦを変更した条件で冷凍モードを実行する。また、庫内温度ＴＦが冷凍室上限温度ＴＦｏｎ以下であれば、ステップＳ４３に戻る。
【００４７】
前記延長制御は、所定の解除条件、例えば、図７に示すように、冷蔵室温度センサ３４が所定温度（例えば、７℃）以上を検出すると、制御部６６は、メモリ５９に記憶されている通常制御における特定条件を読み込み、冷蔵室上限温度ＴＲｏｎ、冷蔵室下限温度ＴＲｏｆｆ、冷凍室上限温度ＴＦｏｎ、冷凍室下限温度ＴＦｏｆｆを変更することで、延長制御を終了させて通常制御へ移行する。
【００４８】
なお、延長制御を終了し通常制御へ移行する解除条件は、前記のような冷蔵室温度センサ３４の検出温度以外にも、例えば、冷凍室温度センサ３６が所定温度（例えば、−１５℃）以上を検出した場合や、圧縮機５６の周波数が所定値（例えば、２５Ｈｚ）以上となった場合や、除霜ヒータ４３が通電され除霜運転を開始した場合に延長制御を終了し通常制御へ移行するように設定してもよい。
【００４９】
以上のように、本実施形態では、圧縮機５６が停止すると通常時に比べて冷蔵モード及び冷凍モードの実行時間が長くなるように、冷蔵モード及び冷凍モードを切り換える条件を変更する延長制御を行う。
【００５０】
これにより、冷蔵空間２０及び冷凍空間４０が十分に冷却されている場合に、制御部６６は、冷蔵モードと冷凍モードとの切り換え頻度を減少させ、不必要な冷凍モード及び冷凍モードの切り換えに伴って生じる消費電力の無駄を削減することができ、更なる冷凍サイクルの冷却効率を向上させ、冷蔵庫の省電力化を図ることができる。
【００５１】
しかも、圧縮機５６の停止直前の周波数が最低周波数である場合に限って延長制御を行うため、電源投入直後や冷凍用冷却器５３の除霜運転のために圧縮機５６が停止した場合のように、圧縮機５６の始動後に素早く冷蔵空間２０及び冷凍空間４０を冷却する必要がある場合には、延長制御を実行することなく冷蔵モードと冷凍モードとをこまめに切り換えて冷蔵空間２０及び冷凍空間４０を急速に冷却することができる。
【００５２】
なお、本実施形態では、冷蔵室上限温度ＴＲｏｎ、冷蔵室下限温度ＴＲｏｆｆ、冷凍室上限温度ＴＦｏｎ、及び冷凍室下限温度ＴＦｏｆｆを変更することで、延長制御と通常制御とを切り換え、冷蔵モード及び冷凍モードの実行時間が長くなるように構成したが、本発明はこれに限定されず、例えば、通常制御に比べて延長制御において冷蔵モード及び冷凍モードを最低限実行する時間を長く設定しても良い。
【符号の説明】
【００５３】
１０…冷蔵庫            ２０…冷蔵空間          ２２…冷蔵室
２４…野菜室            ２６…製氷室            ２８…冷凍室
３４…冷蔵室温度センサ  ３６…冷凍室温度センサ  ４０…冷凍空間
５０…冷凍サイクル      ５２…冷蔵用冷却器      ５３…冷凍用冷却器
５６…圧縮機            ５７…機械室            ５８…凝縮器
６０…三方弁            ６６…制御部
【図１】
2011080695.tif 000003
【図２】
2011080695.tif 000004
【図３】
2011080695.tif 000005
【図４】
2011080695.tif 000006
【図５】
2011080695.tif 000007
【図６】
2011080695.tif 000008
【図７】
2011080695.tif 000009